(57)【要約】【課題】クロスや塗装等の仕上材を撤去したときに石膏ボードの表面における釘等の固着具の位置が明らかで、固着具を抜いてリサイクル可能な状態で石膏ボードを回収できるようにした石膏ボードのパテ処理構造を提案する。【解決手段】建物の壁のたて枠２ａに固着具たる釘３で貫通固定された石膏ボード１と、釘３の頭部３ａを覆うように石膏ボード１の表面に貼付されたパテ下地テープたる寒冷紗テープ４と、寒冷紗テープ４の上から釘３の頭部３ａに塗り付けられたパテ５と、を備える石膏ボードのパテ処理構造。【選択図】　図１
2004027631.tif 000002
【特許請求の範囲】
【請求項１】
建物に固着具で貫通固定された石膏ボードと、前記固着具の頭部を覆うように前記石膏ボードの表面に貼付されたパテ下地テープと、このパテ下地テープの上から前記固着具の頭部に塗り付けられたパテと、を備えることを特徴とする石膏ボードのパテ処理構造。
【請求項２】
前記パテ下地テープが網状テープであることを特徴とする請求項１に記載の石膏ボードのパテ処理構造。
【請求項３】
建物に固着具で石膏ボードを貫通固定する第一工程と、前記固着具の頭部を覆うように前記石膏ボードの表面にパテ下地テープを貼付する第二工程と、前記パテ下地テープの上から前記固着具の頭部にパテを塗り付ける第三工程と、を含むことを特徴とする石膏ボードのパテ処理方法。
【請求項４】
前記パテ下地テープが網状テープであることを特徴とする請求項３に記載の石膏ボードのパテ処理方法。
【発明の詳細な説明】
【０００１】
【発明の属する技術分野】
本発明は、建物（本明細書においては、壁、天井、床などの建物の部分を指すものとする。）に石膏ボードを固定するための釘やビス、ステープル等をパテ処理するときの構造及び方法に関する。
【０００２】
【従来の技術】
建物に石膏ボードを固定するには、たとえば図４（ａ）に示すように、壁のたて枠２ａに当接させた石膏ボード１に釘３を打ち込んで、石膏ボード１をたて枠２ａに固定する。そして、石膏ボード１の表面をクロス貼仕上げとするには、図４（ｂ）に示すように、釘３の頭部３ａを覆うようにパテ５を薄く塗り付けた上で、図４（ｃ）に示すように、石膏ボード１の表面全面にクロス６を貼り付ける。このときのパテ５は、図４（ｄ）に示すように、釘３の頭部３ａと石膏ボード１の表面との段差によって、クロス６を貼り付けた後の室内側壁面に凹凸ができてしまうのを防ぐための段差吸収材、白っぽい色のクロス６を貼り付けてある場合に釘３の頭部３ａが室内側から透けて見えてしまうことを防ぐための釘隠し材、釘３の頭部を湿気から保護する防錆材等として機能するものであり、現実に必ず必要となるものである。
【０００３】
ここで、このようなパテ処理を施した壁を解体し、石膏ボード１を回収しようとするときには、まずクロス６を剥がし取り、次に釘３を抜き取ることになるが、クロス６を剥がし取っても釘３の頭部３ａはパテ５で覆われて隠れてしまっているので、石膏ボード１のどこに釘３があるか分からない。したがって、現実には図５に示すように、釘３の位置とは無関係にバール７等の解体工具の先端７ａをたて枠２ａと石膏ボード１の間に無理やり突っ込んで、石膏ボード１をたて枠２ａから引き剥がしている。
【０００４】
【発明が解決しようとする課題】
しかしながら、このようにバール７のような解体工具を用いて石膏ボード１をたて枠２ａから無理やり引き剥がすと、石膏ボード１が割れてしまい、破片が作業床に散乱してしまう。そして、このような破片をホウキで掃いて拾い集めても、このときにゴミ等の不純物も一緒に拾い集めてしまうので、石膏ボード１のリサイクルが不可能となってしまう。つまり、石膏ボード１をリサイクル可能な状態で回収するには、石膏ボード１を破損しないようにたて枠２ａから取り外すしかなく、そのためには位置がはっきりと見えている釘３，３，…を一本一本石膏ボード１から引き抜くことが必要となるのであるが、釘３の頭部３ａはパテ５で覆われてしまっていて見えず、また釘３の頭部３ａを覆い隠しているパテ５を丹念に削り取ることもコストや手間がかかりすぎるので、現実には石膏ボード１のリサイクルを諦めてこれを破壊しながら解体しており、結果として、資源の再利用ができずコストが上昇し、また廃棄物の増加による環境破壊の原因となっている。
【０００５】
なお、このような問題は、石膏ボード１を壁の骨組（たて枠２ａ）に釘３で固定してクロス６で仕上げるときだけでなく、石膏ボードを天井、壁、床等の建物のあらゆる部位に対してネジやステープル等で固定し、クロス貼仕上げや塗装仕上げとするときにも同様に起こる。
【０００６】
本発明は、かかる事情に鑑み、クロスや塗装等の仕上材を撤去したときに石膏ボードの表面における釘等の固着具の位置が明らかで、固着具を抜いてリサイクル可能な状態で石膏ボードを回収できるようにした石膏ボードのパテ処理構造（以下、単に「パテ処理構造」という。）及び石膏ボードのパテ処理方法（以下、単に「パテ処理方法」という。）を提案することを目的としている。
【０００７】
【課題を解決するための手段】
本発明に係るパテ処理構造は、建物に固着具で貫通固定された石膏ボードと、前記固着具の頭部を覆うように前記石膏ボードの表面に貼付されたパテ下地テープと、このパテ下地テープの上から前記固着具の頭部に塗り付けられたパテと、を備えることを特徴とする。また、本発明に係るパテ処理方法は、建物に固着具で石膏ボードを貫通固定する第一工程と、前記固着具の頭部を覆うように前記石膏ボードの表面にパテ下地テープを貼付する第二工程と、前記パテ下地テープの上から前記固着具の頭部にパテを塗り付ける第三工程と、を含むことを特徴とする。
【０００８】
かかるパテ処理構造ないしパテ処理方法によれば、石膏ボードを貫通している固着具の頭部がパテ下地テープを介してパテ処理されるので、パテ下地テープを石膏ボードの表面から剥がし取れば、同時にパテが除去されて固着具の頭部が露出する。したがって、バール等の解体工具で無理やり石膏ボードを建物から引き剥がすことなく、固着具の種類に応じた適当な手段によって固着具を石膏ボードから抜き取り、石膏ボードを破損させないようにリサイクル可能な状態で回収することができる。
【０００９】
ここで、「固着具」とは、石膏ボードを建物に対して貫通固定するものであって、具体的には釘、ビス、ステープル等を指す。また、「パテ下地テープ」とは、裏面が粘着質の接着面となっていて、表面がパテを塗り付けるための下地面として構成されたテープである。パテ下地テープの表面は、パテがよく噛み込むように多少の凹凸をもって形成されていることが望ましい。このような観点からは、パテ下地テープが網状（メッシュ状ないしガーゼ状）テープであることが望ましく、具体的にはたとえばガラス繊維の網状テープや寒冷紗テープが挙げられる。
【００１０】
なお、パテ下地テープの上からパテ処理された後の石膏ボードの表面には、クロスを貼ったり塗装を施す等、任意の仕上材による被覆が可能である。
【００１１】
【発明の実施の形態】
以下、添付図面を参照して、本発明の実施の形態を詳細に説明する。なお、説明において、同一要素には同一符号を用い、重複する説明は省略する。
【００１２】
図１（ａ）は、本発明に係るパテ処理構造の一実施形態を表す斜視図であり、図１（ｂ）は図１（ａ）のＡ−Ａ断面図である。これらの図に示すように、石膏ボード１は、建物の壁のたて枠２ａ、上枠２ｂ、下枠２ｃに、固着具たる釘３，３，…によって貫通固定されている。また、石膏ボード１の表面には、釘３の頭部３ａを覆うように、パテ下地テープたる寒冷紗テープ４が貼付されている。さらに、寒冷紗テープ４の上から釘３の頭部３ａを覆い隠すようにパテ５が塗り付けられた上で、石膏ボード１の表面全面に仕上材としてのクロス６が貼り付けられている。
【００１３】
パテ処理の具体的手順を、図２を参照しつつ説明すると、まず図２（ａ）に示すように、建物（ここでは壁のたて枠２ａ）に釘３で石膏ボード１を貫通固定する。次に、図２（ｂ）に示すように、石膏ボード１の表面に見えている釘３の頭部３ａを覆うように石膏ボード１の表面に寒冷紗テープ４を貼付する。その後、図２（ｃ）に示すように、寒冷紗テープ４の上から釘３の頭部３ａにパテべら等を使用してパテ５を塗り付ける。最後に、図２（ｄ）に示すように、石膏ボード１の表面全面に仕上材としてのクロス６を貼り付ける。クロス６を貼り付けた状態においては、パテ５が、釘３の頭部３ａからその周囲の石膏ボード１の表面にかけてなだらかに摺り付けられて釘３の頭部３ａを覆い隠しているので、クロス６の外側（室内側）から見たときに釘３の頭部３ａの位置で室内壁面が僅かに盛り上がっていることが分からないようになっており、クロス６が薄手の白っぽい色のものである場合でも釘３の頭部３ａが室内壁面に透けて見えることもない。
【００１４】
このような手順によってパテ処理された石膏ボード１を含む壁を解体する場合には、まず石膏ボード１の表面からクロス６を剥がし取る（図３（ａ）参照）。そして、石膏ボード１の表面に貼付されていた寒冷紗テープ４を剥がし取れば、図３（ｂ）に示すように、寒冷紗テープ４の上に塗り付けられているパテ５も同時に石膏ボード１の表面から撤去され、釘３の頭部３ａの位置が明らかになる。その後、図３（ｃ）に示すように、石膏ボード１を傷つけたり破損したりしないように注意しながら、バール等の適宜の手段によって釘３を一本ずつ抜き取る。
【００１５】
このように、釘３の頭部３ａに直接パテ５が塗り付けられている場合と異なり、本発明では釘３の頭部に貼付された寒冷紗テープ４を介してパテ５が塗り付けられており、寒冷紗テープ４を剥がし取れば同時にパテ５が釘３の頭部３ａから取り去られて釘３の頭部３ａが露出するようになっているので、その後に釘３を抜き取って石膏ボード１を破損させないようにリサイクル可能な状態で回収することができる。
【００１６】
以上、本発明の一実施形態について説明したが、本発明はこれに限定されるものではなく、趣旨に応じた適宜の変更実施が可能であることは言うまでもない。たとえば、固着具として、釘３の代わりにビスやステープル等を用いてもよいし、パテ下地テープを寒冷紗テープ４以外のガラス繊維の網状テープ等とすることもできる。
【００１７】
【発明の効果】
以上のように、本発明に係るパテ処理構造ないしパテ処理方法によれば、パテ下地テープを石膏ボードの表面から剥がし取れば、同時にパテが除去されて固着具の頭部が露出するので、バール等の解体工具で無理やり石膏ボードを建物から引き剥がすことなく、固着具の種類に応じた適当な手段によって固着具を石膏ボードから抜き取り、石膏ボードを破損させないリサイクル可能な状態で回収することができる。
【図面の簡単な説明】
【図１】（ａ）は本発明に係るパテ処理構造の一実施形態を表す斜視図であり、（ｂ）は（ａ）のＡ−Ａ断面図である。
【図２】（ａ）〜（ｄ）は本発明に係るパテ処理方法の一実施形態の各工程を表す斜視図である。
【図３】（ａ）〜（ｃ）は、図２（ｄ）に示した壁を解体する手順を表す斜視図である。
【図４】（ａ）〜（ｃ）は従来のパテ処理方法を説明するための斜視図であり、（ｄ）は（ｂ）のＢ−Ｂ断面図である。
【図５】従来方法によってパテ処理した壁を解体する方法を説明するための水平断面図である。
【符号の説明】
１　　…　石膏ボード
２ａ　…　たて枠
２ｂ　…　上枠
２ｃ　…　下枠
３　　…　釘
３ａ　…　頭部
４　　…　寒冷紗テープ
５　　…　パテ
６　　…　クロス
７　　…　バール
【図１】
2004027631.tif 000003
【図２】
2004027631.tif 000004
【図３】
2004027631.tif 000005
【図４】
2004027631.tif 000006
【図５】
2004027631.tif 000007